(57)【要約】足挿入領域（Ａ）を包み込み、その足底領域において靴外底（１２，１１２，２１２）と結合した靴甲アセンブリ（１１）を備える防水性かつ通気性の靴（１０）であって、  靴甲アセンブリ（１１）は、靴甲のように構造化された第１部分（１４）および、第１部分（１４）のためのアセンブリ靴中敷のように構造化された、少なくとも前足に延びる第２部分（１５）、実質的に構造インサートを有し、  第１部分（１４）は、水に対して不透過性であり、水蒸気に対して透過性であるポリマー材料で製作されたワンピースのシート状構造を有する、防水性かつ通気性の機能エレメントで少なくとも部分的に構成された少なくとも１つの防水部分を有し、第１部分（１４）について、防水性かつ通気性の靴（１０）の靴甲の構造層を構成し、機能エレメントの少なくとも１つの機能部分は、ＩＳＯ  ２０３４４−２００４規格の章５．８．２に提示された方法に従って評価される、約１０Ｎより大きい貫通抵抗を与えるような厚さを有する。
2018521805.tif 000002
【特許請求の範囲】
【請求項１】
足挿入領域（Ａ）を包み込み、その足底領域において靴外底（１２，１１２，２１２）と結合した靴甲アセンブリ（１１）を備える防水性かつ通気性の靴（１０）であって、
・前記靴甲アセンブリ（１１）は、靴甲のように構造化された第１部分（１４）および、前記第１部分（１４）のためのアセンブリ靴中敷のように構造化された、少なくとも前足に延びる第２部分（１５）、実質的に構造インサートを有し、
・前記第１部分（１４）は、水に対して不透過性であり、水蒸気に対して透過性であるポリマー材料で製作されたワンピースのシート状構造を有する、防水性かつ通気性の機能エレメントで少なくとも部分的に構成された少なくとも１つの防水部分を有し、前記第１部分（１４）について、前記防水性かつ通気性の靴（１０）の靴甲の構造層を構成し、前記機能エレメントの少なくとも１つの機能部分は、ＩＳＯ  ２０３４４−２００４規格の章５．８．２に提示された方法に従って評価される、約１０Ｎより大きい貫通抵抗を与えるような厚さを有することを特徴する、防水性かつ通気性の靴。
【請求項２】
前記靴外底（１２，１１２，２１２）は、少なくとも１つの通気性または穿孔した部分（１３，１１３，２１３）を有し、
前記第２部分（１５）は、水に対して不透過性であり、水蒸気に対して透過性であるポリマー材料で製作されたワンピースのシート状構造を有する、防水性かつ通気性の機能エレメントで少なくとも部分的に構成された少なくとも１つの防水部分を有し、
前記機能エレメントの少なくとも１つの機能部分は、ＩＳＯ  ２０３４４−２００４規格の章５．８．２に提示された方法に従って評価される、約１０Ｎより大きい貫通抵抗を与えるような厚さを有し、
前記機能部分は、前記靴外底（１２，１１２，２１２）の前記少なくとも１つの通気性または穿孔した部分（１３，１１３，２１３）を覆い、
前記第１部分（１４）および前記第２部分（１５）は、防水の方法で封止されることを特徴する請求項１記載の防水性かつ通気性の靴。
【請求項３】
前記機能エレメントの少なくとも１つの機能部分が、ＥＮ１２８０３：２０００規格に提示された方法に従って評価される、約２０ＭＰａより大きい引張強度を有することを特徴する請求項１または２記載の防水性かつ通気性の靴。
【請求項４】
前記機能エレメントの少なくとも１つの機能部分は、ＥＮ１３５７１：２００１規格に提示された方法に従って決定される、１０Ｎに少なくとも等しい引裂抵抗を有することを特徴する請求項１または２記載の防水性かつ通気性の靴。
【請求項５】
前記第１部分（１４）は、靴甲の外側層を構成する外部メッシュを備えることを特徴する請求項１記載の防水性かつ通気性の靴。
【請求項６】
前記第１部分（１４）は、足挿入領域（Ａ）に向いた面を覆う補強メッシュが設けられることを特徴する請求項１記載の防水性かつ通気性の靴。
【請求項７】
前記ワンピース構造は、層状で密着性であり、液体状態の水に対して不透過性であり、水蒸気に対して透過性であるポリマー材料で製作された複数の機能層を含むことを特徴する請求項１〜６のいずれかに記載の防水性かつ通気性の靴。
【請求項８】
前記ポリマー材料は、延伸ポリテトラフルオロエチレン、ポリウレタン、ポリエチレン、ポリプロピレン、ポリエステルなどの中から選ばれることを特徴する請求項１〜７のいずれかに記載の防水性かつ通気性の靴。
【請求項９】
前記第１部分（１４）は、前記機能エレメントによって全体的に構成されることを特徴する請求項１〜８のいずれかに記載の防水性かつ通気性の靴。
【請求項１０】
前記第１部分（１４）は、前記第２部分（１５）の下方に折り畳まれた組立てマージンを構成する下側エッジ（１４ａ）を有することを特徴する請求項９記載の防水性かつ通気性の靴。
【請求項１１】
靴甲のように構造化された前記第１部分（１４）は、通気性の靴甲内張り（１６）と連結され、前記第１部分（１４）を足挿入領域（Ａ）の内側に並べるように配置され、防水性かつ通気性の靴（１０）の靴甲アセンブリ（１７）を形成することを特徴する請求項１記載の防水性かつ通気性の靴。
【請求項１２】
第１部分（１４）の下側エッジ（１４ａ）は、前記靴甲内張り（１６）の下側フラップ（１６ａ）から突出して、前記第２部分（１５）の下方に折り畳まれた組立てマージンを生成することを特徴する請求項１１記載の防水性かつ通気性の靴。
【請求項１３】
前記靴甲内張り（１６）は、スポット接着及び／又は縫い目によって前記第１部分（１４）と接合されることを特徴する請求項１１記載の防水性かつ通気性の靴。
【請求項１４】
前記第２部分（１５）は、前記機能エレメントによって全体的に構成されることを特徴する請求項２記載の防水性かつ通気性の靴。
【請求項１５】
前記第２部分（１５）は、アセンブリ靴中敷のように構成され、前記機能エレメントおよび、ポリウレタン、ポリエチレン、またはポリ塩化ビニルなどから選択される材料で製作される少なくとも１つの防水部分によって少なくとも部分的に構成される少なくとも１つの前記防水部分を備えることを特徴する請求項２記載の防水性かつ通気性の靴。
【請求項１６】
前記防水部分の前記機能エレメントは、前足において前記第２部分（１５）の一部を構成し、防水シールを備えた接着接合によって、または防水処理された縫い目を用いて、ポリウレタンまたはポリエチレンまたはポリ塩化ビニルなどで製作される残りの防水部分に接合されることを特徴する請求項１５記載の防水性かつ通気性の靴。
【請求項１７】
前記第２部分（１５）は、通気性または穿孔した補強層（１９）と連結され、これは足挿入領域（Ａ）に向いた面を覆い、前記防水性かつ通気性の靴（１０）の下側アセンブリ（２０）を形成することを特徴する請求項２記載の防水性かつ通気性の靴。
【請求項１８】
前記第２部分（１５）は、靴外底（１２，１１２，２１２）に向いた面を覆うメッシュ（２１）と連結され、前記防水性かつ通気性の靴（１０）の下側アセンブリ（２０）を形成することを特徴する請求項２記載の防水性かつ通気性の靴。
【請求項１９】
前記第２部分（１５）は、アセンブリ靴中敷のように構成され、革、プラスチック材料および金属材料の中から選択される材料で製作されるシャンクによって、足底弓およびかかとにおいて補強されることを特徴する請求項１〜１８のいずれかに記載の防水性かつ通気性の靴。
【請求項２０】
前記第１部分（１４）は、靴甲のように構成され、その下側エッジ（１４ａ）とともに、アセンブリ靴中敷のように構成される前記第２部分（１５）に外周側に接合され、後者は、折り畳まれて接着され、前記第２部分（１５）の外周エッジの下方に「ＡＧＯラスティング」として知られた構成に従って封止を形成することを特徴する請求項１０または１２記載の防水性かつ通気性の靴。
【請求項２１】
前記下側エッジ（１４ａ）の残りの部分は、下側後方部において管状に縫われることを特徴する請求項２０記載の防水性かつ通気性の靴。
【請求項２２】
封止連結は、ポリウレタン系の接着剤を用いて提供されることを特徴する請求項２０記載の防水性かつ通気性の靴。
【請求項２３】
それは、前記第１部分（１４）が前記第２部分（１５）に接合される領域において、合成弾性材料で製作される防水補強熱接着テープを含むことを特徴する請求項２０記載の防水性かつ通気性の靴。
【請求項２４】
前記第１部分（１４）は、その端部において、シュトローベルタイプの縫い目を用いて、アセンブリ靴中敷のように構成される前記第２部分（１５）の外周エッジと結合されることを特徴する請求項１〜２３のいずれかに記載の防水性かつ通気性の靴。
【請求項２５】
それは、前記第２部分（１５）の外周エッジへの前記第１部分（１４）の、シュトローベルタイプの裁縫のための領域に接着する防水熱接着テープを含むことを特徴する請求項２４記載の防水性かつ通気性の靴。
【請求項２６】
前記靴外底（１２）は、ワンピースで提供され、ポリマー材料で製作されることを特徴する請求項１〜２５のいずれかに記載の防水性かつ通気性の靴。
【請求項２７】
前記靴外底（１１２，２１２）は、前記靴甲アセンブリ（１１）との結合のための少なくとも１つの上側部（１１２ａ，２１２ａ）と、トレッドが設けられた少なくとも１つの下側部（１１２ｂ，２１２ｂ）とを備えることを特徴する請求項１〜２６のいずれかに記載の防水性かつ通気性の靴。
【請求項２８】
前記靴外底（１２，１１２，２１２）は、前記第２部分（１５）および前記第１部分（１４）の下側エッジに関して外周バンドに沿って接着接合によって、前記靴甲アセンブリ（１１）と接合されることを特徴する請求項２６または２７記載の防水性かつ通気性の靴。
【請求項２９】
前記靴外底（１１２）は、前記第２部分（１５）を支持するための少なくとも１つのエレメント（２２）を備え、エレメント（２２）は、加水分解に対して耐久性のある材料で製作され、通気性または穿孔されており、前記第２部分（１５）と靴外底（１１２）の前記通気性または穿孔した部分（１１３）との間に介在していることを特徴する請求項２７記載の防水性かつ通気性の靴。
【請求項３０】
前記支持エレメント（２２）は、ナイロンで製作されたメッシュ、金属材料、フェルトなどの中から選択される材料で製作されることを特徴する請求項２９記載の防水性かつ通気性の靴。
【請求項３１】
前記靴外底（２１２）は、
前記第２部分（１５）の前記機能エレメントの下方に位置する、少なくとも１つの通気性または拡散的に穿孔された充填材エレメント（２３）を備えることを特徴する請求項１〜３０のいずれかに記載の防水性かつ通気性の靴。
【発明の詳細な説明】
【技術分野】
【０００１】
本発明は、防水性かつ通気性の靴に関する。
【背景技術】
【０００２】
現時点で知られていることは、快適であるために、解剖学的フィッティング特性に加えて、靴が靴内の微気候と外部微気候との間の熱および水蒸気の正しい交換を確保する必要があることであり、これは足の発汗に起因して形成する水蒸気を外部に発散させる能力と一致する。
【０００３】
発汗に通常最も曝される足の部分は、靴底である。汗は、靴の内部環境を飽和させ、大部分が凝縮し、靴中敷(insole)に停滞する。
【０００４】
水蒸気に対して透過性で水に対して不透過性である膜がその貫通開口を覆うように封止された穿孔エラストマ靴外底(outsole)を使用することによって、内部発汗の課題を解決する靴が知られている。
【０００５】
しかしながら、内部微気候と外部微気候との間の良好な熱交換を確保するために、水蒸気に対する透過性および水に対する不透過性は、靴外底だけでなく、靴全体について実質的に確保される必要がある。
【０００６】
熱および水蒸気の交換は、外部湿度および水に対する靴の不透過性を損なうべきでなく、逆も同様である。しかしながら、通気性の靴は、伝統的に革または等価品などの天然材料を使用するものであり、これは雨の存在時に水を容易に吸収し、水はまた組立てのために使用される縫い目を通って浸入できる。
【０００７】
この理由のため、防水靴は、当面の間は広く商業利用可能であり、靴甲(upper)の外部材料は、防水性かつ通気性の膜とともに積層された内張り(lining)と連結される。
【０００８】
これらの靴を提供するために通常使用される防水性かつ通気性の膜は、例えば、Ｗ．Ｌ．ＧｏｒｅまたはＢＨＡ  Ｔｅｃｈｎｏｌｏｇｉｅｓの名義である幾つかの特許に記載されたタイプのものである。
【０００９】
これらは、通常１５〜７０ミクロンの範囲で変化する厚さを備えた延伸ポリテトラフルオロエチレン（ｅ−ＰＴＦＥ）で製作された薄膜によって構成され、防水性かつ通気性である。
【００１０】
これらのマイクロ構造は、ノードとして知られる高密度エリアの存在によって特徴付けられ、高密度エリアは、小線維(fibrils)として知られる細長いフィラメントによって相互接続される。
【００１１】
衣類および履物市場は柔軟で快適な品物を要求するため、膜がこれらの特性を損なわないことを確保するニーズが感じられる。
【００１２】
この理由のため、布(fabric)または革(leather)などの支持及び／又は美的仕上げ材料とともに積層される薄膜の使用は、可撓性、容易な屈曲、柔軟性、表面滑りやすさ、圧縮性および伸縮性、および低い単位面積当りの重量の特性を有する積層製品が得られるように広く普及している。
【００１３】
しかしながら、実際はその減少した厚さに起因して、これらの膜は、制限された機械強度特性を有する。特に、上述した範囲に構成された厚さを持つ膜は、５Ｎ未満の貫通抵抗(penetration resistance)を有しており、ここで表現「貫通抵抗」は、安全靴に関する、ＩＳＯ  ２０３４４−２００４規格、章５．８．２「靴外底の貫通抵抗の決定」で提示された方法に従って採用された測定によって定義される特性を参照するものと理解される。
【００１４】
さらに、こうした膜はまた、５Ｎ未満の引裂強度(tear strength)および１５ＭＰａ未満の引張強度(tensile strength)を有しており、ここで表現「引裂強度」は、ＥＮ  １３５７１：２００１規格で提示された方法に従って採用された測定によって定義される特性を参照するものと理解され、表現「引張強度」は、ＥＮ  １２８０３：２０００規格で提示された方法に従って採用された測定によって定義される特性を参照するものと理解される。
【００１５】
実際、積層品の抵抗値は、膜が連結される布または革の構造層の特性から主に起因する。
【００１６】
表現「構造層」は、穿孔、引張および引裂応力、ならびに靴の使用時に靴甲(upper)に印加される外部応力によって生ずる屈曲および伸張変形に耐えることができる層を参照するものと理解される。
【００１７】
防水性かつ通気性の膜を備えた靴の生産において、外部からの最も僅かな水の浸入でさえ回避するために、靴中敷(insole)、膜、靴甲の外側層、および靴外底(outsole)の間の接合領域の有効な封止が得られるニーズもまた特に感じられる。
【００１８】
現時点で知られていることは、靴甲アセンブリが、外側層と内張りとの間に介在する防水性かつ通気性の膜を有する場合でも、靴甲の外側層および内張りが通常は防水性材料で製作されておらず、前記層内の毛細管現象によって水が自由に浸入し移動するため、防水性のほぼ全体的欠如があることである。
【００１９】
さらに、層のこのオーバーラップは、靴甲の個別の外部材料および個別の膜の両方で元の蒸気透過性での実質的な減少を必然的に発生する。
【００２０】
今のところ、これらの不具合に対する幾つかの解決法が知られている。
【００２１】
これらのうち、文献ＵＳＲＥ３４８９０に開示されたものは、内張りを用いて構成され、足の周りを完全に包むように靴下のように閉止した、防水性かつ通気性の膜に連結された布によって構成される。
【００２２】
こうして構築された内張りは、水が靴内に侵入するのを防止し、同時に外向き蒸気透過を許容する。
【００２３】
また同じ開示された解決法によれば、靴中敷(insole)が靴下状の内張りの底部に付与され、靴甲の外側層の組立てマージンがその上に周辺的に折り畳まれ縫い付けられる。
【００２４】
靴下状の内張りは、足挿入開口を有し、２つの側方部および下方部の連結によって提供され、その部品は、ジグザグ及び／又はシュトローベル(strobel)タイプの縫い目によって接合され、これらは防水封止テープを用いて封止される。
【００２５】
そして靴外底(outsole)は、接着接合によって、または靴甲での直接射出によって組立てられる。
【００２６】
この解決法は、生産プロセスの複雑さに主に起因した不具合がないことはない。
【００２７】
靴下状の内張りの設置は、型を切断する際に相当な注意を必要とし、組立て時に膜が破損しないことを確保するために、部品の極めて精密な縫合を必要とし、封止を阻害する空間または突起を回避するために、縫い目を封止するための特殊な機械の使用を必要とする。
【００２８】
さらに靴下状の内張りの生産の際も、正確な精度で切断されて共に縫われる種々の部分を準備する困難さに起因して、および皺(crease)が形成されないように、靴甲の外部材料と内張りとの間の正しい張力を達成する困難さに起因して、縫い目を用いて、ラスティング(lasting)によってではなく、その正確な整形を達成することが困難である。実際、内張りの縫合の際に靴型(last)が使用されないため、前記内張りは、靴甲の予備組立ての際に皺が寄る(wrinkle)傾向がある。
【００２９】
さらに、こうして提供される靴が、上述した不具合を完全に未然に防止するようには見えず、それは、水が靴甲の外部材料を通って浸入でき、防水内張りと靴甲の内面との間の水の保持を発生するためである。液体の停滞は、湿気の不愉快な感じを発生し、続いて靴の重量の増加を生じさせ、ユーザにとっての快適さを必然的に減少させる。さらに、靴は、乾燥するのに相当な時間を必要とする。
【００３０】
他の提案された解決法が、ＥＰ０２７５６４４に開示されたものであり、これによれば、靴甲は、ユーザの足を包囲する靴下のような形状であり、防水性かつ通気性の布によって形成され、金属メッシュまたは他の多孔性の保護材料層の介在とともに、空気透過性の開口が設けられた靴外底に装着される。記載されたものからは、靴甲は、ｅ−ＰＴＦＥで製作された防水性かつ通気性の薄膜によって専ら構成されるように見える。
【００３１】
薄膜は、適切な布または革の層に接合することなく、靴用の靴甲の構造層として使用できないような特性を有する。
【００３２】
代わりに、積層材料で製作された靴甲は、布または革などの支持および外部美的仕上げ材料のための内部構造材料と結合した薄膜によって構成され、文献ＵＳＲＥ３４８９０に提案された解決法について言及された同じ不具合に取り組む必要がある。
【００３３】
他の解決法は、同じ出願人による文献ＥＰ２２９８１００に開示されたものであり、以前から知られている穿孔された靴外底と少なくとも同程度に貫通および引裂に対する耐性を有し、同時に少なくとも等しく有効な防水性であり、より大きな蒸気透過を許容する靴外底を備えた通気性の靴を開示する。この靴は、足挿入領域を包み込み、足底(plantar)領域において少なくとも１つの通気性または穿孔された部分を有する靴外底と結合した靴甲アセンブリを備える。靴甲アセンブリは、構造インサートを有し、これは好ましくは靴中敷のように構造化され、穿孔した靴外底に対して防水の方法で封止された防水部分を備え、足挿入領域に向かう液体の浸入を防止する。防水部分は、液体状態の水に対して不透過性であり、水蒸気に対して透過性であるポリマー材料で製作されたモノリシックのシート状構造を有する、防水性かつ通気性の機能エレメントで少なくとも部分的に構成される。機能エレメントの少なくとも１つの機能部分は、ＩＳＯ  ２０３４４−２００４規格、章５．８．２に提示された方法に従って評価される、約１０Ｎより大きい貫通抵抗を与えるような厚さを有する。説明した機能エレメントは、靴外底の開口を通って侵入することがある異物の側での衝撃および貫通に耐えることができ、靴外底の開口において足挿入領域での空洞の形成を制限するようにユーザの足を支持できる。
【００３４】
しかしながら、この解決法は、上述した全ての不具合を未然に防止できるようには思われず、また構造的に複雑である。
【発明の概要】
【発明が解決しようとする課題】
【００３５】
本発明の目的は、現時点で知られている防水性かつ通気性の靴の上述した不具合を未然に防止し、足挿入領域での水の浸入を防止し、構造的により簡単である、全体的に防水性かつ通気性の靴を提供することである。
【００３６】
この目的内で、本発明の目的は、現時点で知られている防水性かつ通気性の靴よりもより多くの量の水蒸気を放散できる、全体的に防水性かつ通気性である靴を提供することである。
【００３７】
本発明の他の目的は、その靴甲およびその靴外底の両方を通じて、その部分の接合領域において等しく効果的に完全かつ永続的に防水性かつ通気性である靴を提供することである。
【００３８】
本発明の更なる目的は、現時点で知られている通気性の靴よりも軽量であり、等しく頑丈である通気性の靴を提供することである。
【００３９】
本発明の他の目的は、全体的に防水性かつ通気性であり、使用するのが快適であり、比較的低いコストで製造できる靴を提案することである。
【課題を解決するための手段】
【００４０】
この目的は、以下でより明らかになるこれらおよび他の目的とともに、足挿入領域を包み込み、その足底領域において靴外底と結合した靴甲アセンブリを備える防水性かつ通気性の靴によって達成され、前記靴は、
・前記靴甲アセンブリは、靴甲のように構造化された第１部分および、前記第１部分のためのアセンブリ靴中敷のように構造化された、少なくとも前足に延びる第２部分、実質的に構造インサートを有し、
・前記第１部分は、水に対して不透過性であり、水蒸気に対して透過性であるポリマー材料で製作されたモノリシックのシート状構造を有する、防水性かつ通気性の機能エレメントで少なくとも部分的に構成された少なくとも１つの防水部分を有し、前記第１部分について、前記防水性かつ通気性の靴の靴甲の構造層を構成し、前記機能エレメントの少なくとも１つの機能部分は、ＩＳＯ  ２０３４４−２００４規格の章５．８．２に提示された方法に従って評価される、約１０Ｎより大きい貫通抵抗を与えるような厚さを有することを特徴する。
【図面の簡単な説明】
【００４１】
本発明の更なる特徴および利点は、添付図面において非限定的な例として示された本発明に係る防水性かつ通気性の靴の好ましく排他的でない実施形態の説明からより明らかになるであろう。
【００４２】
【図１】本発明に係る防水性かつ通気性の靴の図である。
【図２】本発明に係る防水性かつ通気性の靴の変形例の横断面図である。
【図３】本発明に係る防水性かつ通気性の靴の変形例の横断面図である。
【図４】靴甲アセンブリの底面図である。
【図５】靴甲アセンブリの斜視図である。
【図６】本発明に係る防水性かつ通気性の靴の靴外底の変形例の概略断面図である。
【図７】本発明に係る防水性かつ通気性の靴の靴外底の変形例の概略断面図である。
【図８】本発明に係る防水性かつ通気性の靴の靴外底の変形例の概略断面図である。
【００４３】
特許プロセスの際に既知であると認められたものは、権利請求されず、放棄の対象であると理解されることに留意すべきである。
【発明を実施するための形態】
【００４４】
図面を参照して、参照符号１０は、本発明に係る防水性かつ通気性の靴を全体的に示しており、図２および図３に示す足挿入領域Ａを包み込む靴甲アセンブリ１１を備える。
【００４５】
靴甲アセンブリ１１は、その足底領域において、好ましくは少なくとも１つの通気性または穿孔した部分１３を有する靴外底１２と結合される。
【００４６】
本発明によれば、防水性かつ通気性の靴１０は、後述する特徴の組合せにおいて特殊性を有する。
【００４７】
靴甲アセンブリ１１は、靴甲のように構造化された第１部分１４および、第１部分１４のためのアセンブリ靴中敷のように構造化され、図４の例に示すように、少なくとも前足に延びる第２部分１５、実質的に構造インサートを有する。
【００４８】
第１部分１４および第２部分１５は、水に対して不透過性であり、水蒸気に対して透過性であるポリマー材料で製作されたモノリシックのシート状構造を有する、防水性かつ通気性の機能エレメントで少なくとも部分的に構成された少なくとも１つの防水部分を有し、機能エレメントの少なくとも１つの機能部分は、ＩＳＯ  ２０３４４−２００４規格の章５．８．２に提示された方法に従って評価される、約１０Ｎより大きい貫通抵抗を与えるような厚さを有する。機能エレメントは、第１部分１４について、防水性かつ通気性の靴１０の靴甲の構造層を構成する。
【００４９】
第２部分１５の機能エレメントの機能部分は、靴外底１２の通気性または穿孔した部分１３を覆う。
【００５０】
２つの部分は、足挿入領域Ａに向かう液体の浸入を防止するように防水の方法で封止され、完全に防水性かつ通気性の靴甲アセンブリを構成する。
【００５１】
ＩＳＯ  ２０３４４−２００４規格の章５．８．２に提示された検査方法は、測定すべき材料の試料を用意することと、４．５０±０．０５ｍｍの直径を備え、面取りされた先端および指示された形状および大きさ(proportions)を備えた釘による貫通を行うこととを含む。釘の先端は、６０ＨＲＣの最小硬度を有する。釘の貫通速度は、先端が試料を完全に貫通するまで１０±３ｍｍ／ｍｉｎに設定される。材料の貫通の結果として測定された最大力値（ニュートンＮで表される）が記録される。４つの試料について検査が行われ、４つの記録した値の最小値が、検査した材料の貫通抵抗値として割り当てられる。
【００５２】
前述した表現「シート状」は、他の２つに対して大きく減少した１つの次元を有する構造の形状特性として理解され、こうした次元はその厚さであり、いずれの場合も、シートを薄膜(lamina)または膜(membrane)と区別するために一般に理解されるものに従って有意なままである。
【００５３】
しかしながら、この形状特性は、それ自体、インサートの湾曲する能力またはその柔軟性を損なうと理解すべきでない。
【００５４】
特に、機能エレメントの機能部分の厚さは、実質的に０．１ｍｍ〜３ｍｍに構成され、好ましくは均一である。
【００５５】
好都合には、モノリシック構造は、層状で密着性であり、液体状態の水に対して不透過性であり、水蒸気に対して透過性であるポリマー材料で製作された複数の機能層を含む。
【００５６】
さらに、機能エレメントは、水蒸気に対して透過性であり、機能層の間に介在した少なくとも１つの補助層を好都合に含む。
【００５７】
特に、補助層は、織物状または不織布の織物状の構成に従って、繊維状に構造化された材料で製作される。
【００５８】
好ましくは、こうしたポリマー材料は、延伸ポリテトラフルオロエチレン、ｅ−ＰＴＦＥ、ポリウレタン、ＰＵ、ポリエチレン、ＰＥ、ポリプロピレン、ＰＰ、ポリエステルなどの中から選ばれる。
【００５９】
より詳細には、ｅ−ＰＴＦＥで製作される機能エレメントは、例えば、下記ステップからなる製造プロセスを用いて提供できる。
・ペーストフォームでの押し出しステップ。
・成層(stratification)ステップ。
・延伸(expansion)ステップ。
・焼結(sintering)ステップ。
【００６０】
代替の方法において、成層ステップは、液体状態の水に対して不透過性であり、水蒸気に対して透過性である複数の機能層を接合させるために使用されるプロセスに応じて、延伸ステップの前または後で発生する。
【００６１】
延伸ステップは、ＰＴＦＥで製作されたテープを少なくとも長手方向に引っ張ることを含む。
【００６２】
この延伸は、材料の多孔性を増加させ、その強度をさらに増加させ、小線維を引張り方向に配向させる。
【００６３】
長手方向延伸の後、テープは、横断方向にも延伸でき、その多孔性を増加させるために、例えば、４０℃〜１００℃の区間の温度に維持する。
【００６４】
０．１ｍｍ〜３ｍｍの厚さは、機能エレメントに、ＥＮ１３５２０規格で提示された方法に従って決定される約５１２００サイクルより大きい耐摩耗性を与える。
【００６５】
この規格によれば、耐摩耗性は、研磨布に対して擦った場合に靴甲、内張りまたは靴中敷の試料によって示される表面抵抗として理解され、マーチンデール機械を用いて評価される。
【００６６】
検査すべき材料の試料が、一定の圧力が印加された基準研磨布に対して擦られる。
【００６７】
研磨布と試料との間の相対運動は、複雑な周期パターン（リサジュー図形）であり、試料ホルダの１６個の楕円運動（サイクル）を用いることによって全ての方向での擦りを生じさせる。
【００６８】
検査は、予め定めたサイクル数の後に中断され、試料に影響する損傷が評価される。
【００６９】
研磨布は、１９５±５ｇ／ｍ２の単位表面当りの最小質量を備えたクロスブレッドウォーステッド紡糸(crossbred worsted spun)平織布である。
【００７０】
試料は、適合したサポートに堅く収納されるような表面を備えた円形形状を有し、６４５±５ｍｍ２の表面の円形平坦部分を露出させる。
【００７１】
検査は、４つの試料について実施され、最終摩耗において剥離および退色の効果が記録され、これらを下記の記述、即ち、不在、極めて僅か、僅か、中間、重大、ほぼ完全、または孔が試料に生じた場合の１つに従って分類する。
【００７２】
さらに、機能エレメントの少なくとも１つの機能部分が、ＥＮ１２８０３：２０００規格に提示された方法に従って評価される、約２０ＭＰａより大きい引張強度を有する。
【００７３】
この規格によれば、少なくとも３つの試料が必要とされ、これらは適切に採用され調整され、そして伸び計(extensometer)（好ましくは張力および変形のグラフィックレコーダが備えられる）のクランプに挿入され、その分離速度は一定で１００±１０ｍｍ／ｍｉｎに等しい。極限引張強度は、ＭＰａで表され、破損時に記録された力（ニュートン）と試料の最小断面積（ｍｍ２）との比率の使用した試料での平均によって与えられる。
【００７４】
上述したように、機能エレメントは、防水性かつ通気性である。表現「防水性かつ通気性」は、通常、液体状態の水に対して不透過性であり、水蒸気に対する透過性と組合せた材料の特性として理解される。
【００７５】
特に、水に対する不透過性は、材料が少なくとも１バール（ｂａｒ）の圧力に曝され、少なくとも３０秒間保たれた場合、交差ポイント(crossing point)の不在に起因している。
【００７６】
詳細には、防水性は、ＥＮ１７３４規格に記載された方法に従って、圧力下の水の浸入に対する試料の耐久性として評価される。
【００７７】
この方法によれば、材料の試料が、加圧水入口が設けられた容器を封止するように固定される。容器は、水で充填され、容器に向けられた材料の試料の面を１バールの静水圧に曝されるようにする。この条件は３０秒間維持される。
【００７８】
試料は、容器の開口ポートと保持リングとの間でロックされ、その両方ともシリコーンゴムで製作された封止ガスケットで覆われる。
【００７９】
加圧は、圧縮空気の流れを用いてタンクから由来する水を容器の中に押し込むことによって達成される。この空気は、到達圧力が示される圧力計を備えたバルブによって調整される。
【００８０】
そして容器に対して外部にある試料の面が観察される。
【００８１】
こうした表面での１ｍｍ〜１．５ｍｍの直径を有する水滴の形成となる交差ポイントの不在は、試料の防水性を示す。
【００８２】
試料の変形を回避するために必要な場合、３０ｍｍ未満の辺を備え、合成材料で製作され、１ｍｍ〜１．２ｍｍの直径を有するフィラメントを用いて提供される正方形メッシュを有する格子がその上に固定される。
【００８３】
機能エレメントは、好都合には９ｍｇ／ｃｍ２ｈに少なくとも等しい水蒸気透過性を有する。表現「水蒸気透過性」は、部分圧力勾配に起因して材料を通過する蒸気の量として理解される。
【００８４】
ＩＳＯ  ２０３４４−２００４規格の章６．６、安全靴に関する「水蒸気透過性の測定」は、検査される材料の試料を、一定量の固体乾燥剤、即ち、シリカゲルを収納する瓶の開口を封止するように固定することを含む検査方法を記載している。
【００８５】
瓶は、調整された雰囲気での強い空気流に曝される。
【００８６】
瓶は、固体乾燥剤を撹拌し、瓶内に収納された空気の乾燥を最適化するように回転するように製作される。
【００８７】
瓶は、材料を通過して固体乾燥剤によって吸収された湿気の質量を決定するために、試験時間の前後で重量測定される。
【００８８】
水蒸気に対する透過性は、時間当り平方センチメートル当りのミリグラム［ｍｇ／ｃｍ２／ｈ］で表され、測定された湿気の質量、瓶の開口の面積および検査時間に基づいて計算される。
【００８９】
機能エレメントの少なくとも１つの機能部分は、さらに好都合には、ＥＮ１３５７１：２００１規格に提示された方法に従って決定される、１０Ｎに少なくとも等しい引裂抵抗(tear resistance)を有する。引裂抵抗は、ある試料において裂け目を伝搬させるのに必要な平均力として理解され、１００ｍｍ／ｍｉｎの一定のクロス部材速度で試料に作用する調整可能な動力計を用いて測定される。検討される材料の６個の試料が検査され、そのうち３個が、ＣＡＬとして知られ、材料の押出し方向として定義される長手方向に平行なノッチを有し、そしてそのうち３個が、ＰＡＬとしても知られ、長手方向に対して垂直である横断方向にノッチを有する。
【００９０】
試料は、特徴的なズボン脚状の形状を有し、動力計のクランプ間に平坦に配置され、ノッチは引張り方向に対して垂直であり、裂けるまで引張りに曝される。
【００９１】
変位に関連した引張り力の値は、記録されてチャート化される。
【００９２】
引裂抵抗は、ニュートンで表され、ＣＡＬ検査およびＰＡＬ検査で記録された引張り力のそれぞれ２つの算術平均ＴＳＣＡＬおよびＴＳＰＡＬの算術平均として計算される。
【００９３】
本発明に係る防水性かつ通気性の靴１０が、図２と図３において前足で取られた横断面図で示される。
【００９４】
２つの図は、防水性かつ通気性の靴１０の２つの可能な変形例を示し、その靴甲は、靴甲内張り１６の存在に起因して相違する。
【００９５】
好ましい解決法を表す図２の第１ケースにおいて、靴甲は、専ら第１部分１４の層によって提供され、これは防水性かつ通気性の機能エレメントによって全体的に構成される。従って、機能エレメントは、靴１０の靴甲を構成する。
【００９６】
図３の第２ケースにおいて、通気性の靴甲内張り１６が、靴甲のように構成された第１部分１４と連結され、前記第１部分１４を足挿入領域Ａの内側に並べるように配置され、防水性かつ通気性の靴１０の靴甲アセンブリ１７を形成する。
【００９７】
靴甲内張り１６は、好都合にはスポット接着によって及び／又は縫い目を用いて第１部分１４と結合され、その防水性および通気性を実質的に損なわないようにする。
【００９８】
両方の解決法では、第１部分１４の下側エッジ１４ａは、「ＡＧＯラスティング」として知られた構成に従って、第２部分１５の下方に折り畳まれた組立てマージンを構成し、第１部分１４の機能エレメントを保存するために粗削り操作を任意に回避している。
【００９９】
特に第２ケースにおいて、明確に見えるように、下側エッジ１４ａは、靴甲内張り１６の下側フラップ１６ａから突出して、組立てマージンを形成する。
【０１００】
要求に従って、第１部分１４は、好ましくはナイロンで製作された補強メッシュを設けることができ、それは足挿入領域Ａに向いた面を覆い、それとともにワンピースアセンブリを構成し、スポット接着によってそれに接合される。
【０１０１】
第１部分１４は、さらに外部メッシュを備えてもよく、これは靴甲の外側層を構成するとともに、靴甲の構造エレメントは、防水性かつ通気性の機能エレメントのままである。
【０１０２】
機能エレメントは、第１部分１４が、例えば、機能エレメントのシートまたはロールからの打抜き(die-cutting)によって提供されるつま革(vamp)、舌革(tongue)、クオータ(quarter)など、靴の靴甲を構成する種々の部品を接合する縫い目１８の充分な強度を有するような引裂強度を有する。
【０１０３】
縫い目１８は、好都合に、熱接着防水テープを用いて足挿入領域Ａに向いた側において防水処理され、熱接着防水テープは、第１部分１４の組立ての際、熱に曝され、機能エレメントへの押圧、接着に曝され、それを縫い目で封止する。
【０１０４】
代替として、縫い目１８は、好都合に、高周波溶接によってまたは封止接着接合(sealing adhesive bonding)によって、水に対して不透過性である材料で製作されたインサートを用いて靴の外側に向いた側で防水処理できる。
【０１０５】
代替バージョンによれば、既に防水性である上側部分において、機能エレメントの使用を回避することができ、しかしながら機能エレメントと防水材料、例えば、約５÷１０ｍｍについて両者のオーバーラップおよびシーリング、または水に対して不透過性であるテープによって防水処理された縫い目との間の防水シールを確保している。
【０１０６】
図４と図５は、本発明に係る靴甲アセンブリ１１の例をそれぞれ底面図で示しており、第１部分１４の下側エッジ１４ａが、前足および縫い目１８、特に、靴外底に対して下方かつ外周に折り畳まれて縫われた２つの下側エッジ１４ａを接合する縫い目１８で折り畳まれて接着された第２部分１５を明確に示している。
【０１０７】
靴のつま先を補強するために、防水材料で製作されるつま先キャップを、特にこうした材料が、その蒸気透過を確保するために通気性または穿孔されている場合、例えば、スポット接着によって靴甲に付与することができる。
【０１０８】
つま先キャップが靴甲の外側に付与されるインサートからなる場合、例えば、約５÷１０ｍｍについて接着剤を用いて２つの材料を重ね合わせてシール接合することによって、または水に対して不透過性であるテープによって防水処理された縫い目によって防水シールが確保されている限り、こうした防水つま先キャップの上にオーバーラップして機能エレメントの一部を使用する必要はない。
【０１０９】
代替として、つま先キャップは、任意には靴甲を提供するために整形される前に、機能エレメントによって構成されるサポート上でプラスチック材料を成形(mold)することによって提供できる。
【０１１０】
つま先キャップが靴甲の内側に付与される場合、つま先キャップでの防水性かつ通気性の機能エレメントの存在は必要である。
【０１１１】
同様に、後方月型(counter)を付与することができる。
【０１１２】
第１部分１４はまた、機能エレメントのペーストフォームでの押し出し時に着色材料を導入することによって着色でき、あるいは、好ましくはポリウレタン、ポリ塩化ビニルなどから選択されるポリマー材料で製作される装飾エレメントを付与することによって装飾できる。装飾エレメントは、好都合には、高周波溶接によって、またはスクリーン印刷によって、または接着によって機能エレメントに接合される。代替として、これらは、任意には靴甲を構成するために整形される前に、機能エレメント上に直接にプラスチック材料に成形できる。
【０１１３】
第２部分１５、即ち、アセンブリ靴中敷のように構成される構造インサートはまた、好ましくは機能エレメントによって全体的に構成される。従って、このケースでも、防水部分は、第２部分１５の全体と一致し、防水性かつ通気性の機能エレメントのシートまたはロールからの打抜き(die-cutting)によって提供される。
【０１１４】
任意には、靴のより大きなサポートおよびねじれ抵抗を提供するために、第２部分１５は、好都合には、革、プラスチック材料および金属材料の中から選択される材料で製作されるシャンク(shank)を用いて、靴外底、足底弓(plantar arch)および、かかと(heel)において補強できる。
【０１１５】
代替の解決法において、アセンブリ靴中敷のように構成される第２部分１５は、機能エレメントおよび、ポリウレタン、またはポリエチレン、またはポリ塩化ビニルなどから選択される材料で製作される少なくとも１つの他の防水部分によって少なくとも部分的に構成される少なくとも１つの防水性かつ通気性の部分を備える。第２部分１５は、革、プラスチック材料および金属材料の中から選択される材料で製作されるシャンクを用いて、足底弓およびかかとにおいて補強できる。この解決法によれば、防水部分の機能エレメントは、前足において第２部分１５の一部を構成し、防水シール接着接合によって、または防水処理された縫い目を用いて、残りの部分に接合される。
【０１１６】
いずれのケースも、機能エレメントの引裂強度のおかげで、第２部分はまた、縫い目の充分な封止を許容できる。
【０１１７】
他の好ましい解決法において、第２部分１５は、穿孔した硬いポリマー材料またはフェルトまたは布で製作される通気性または穿孔した補強層１９と連結され、これは、図面において横断面で示すように、足挿入領域Ａに向いたその面を覆う。通気性または穿孔した補強層１９は、スポット接着によって、または高周波プロセスまたはコ・モールディング(co-molding)を用いて、その通気性を損なわないように第２部分１５に接合され、それとともに下側アセンブリ２０を形成する。
【０１１８】
さらに、第２部分１５はまた、好都合にメッシュ２１が設けられ、これはまた図面において横断面で明確に見えており、靴外底１２に向いたその面を覆い、それとともに、そして通気性または穿孔した補強層１９とともに下側アセンブリ２０を形成する。
【０１１９】
第２部分１５を備えた第１部分１４の可能性あるアセンブリによれば、第１部分１４は靴甲のように構成され、下側エッジ１４ａとともに、アセンブリ靴中敷のように構成される第２部分１５に外周側に接合できる。こうしたエッジは、実際、折り畳まれて接着され、第２部分１５の外周エッジの下方に「ＡＧＯラスティング」として知られた構成に従って封止(seal)を提供し、足挿入領域Ａを包み込む防水性かつ通気性の靴甲アセンブリ１１を形成し、これに、靴外底１２が接着接合によって、または靴甲での直接射出によって接合される。
【０１２０】
第１部分１４と第２部分１５との間の封止接合は、組立てマージンにおいて、ポリウレタン系の接着剤を用いて提供される。
【０１２１】
第１部分１４の下側エッジ１４ａによって構成される組立てマージンをさらに強化するために、第１部分１４と第２部分１５との間の接合領域において、これに直接に防水補強エレメント、例えば、好ましくは合成材料で製作される弾性防水熱接着テープ（不図示）を付与することができる。
【０１２２】
代替として、第１部分１４は、その端部において、縫い目、好ましくはシュトローベルタイプの縫い目を用いて、アセンブリ靴中敷のように構成される第２部分１５の外周エッジと結合できる。
【０１２３】
機能エレメントの引裂強度のおかげで、第１部分１４および第２部分１５は、その個々のエッジで縫い目の充分な封止を確保できる。
【０１２４】
シュトローベルタイプの縫い目は、好都合に、防水熱接着テープを用いて防水処理され、防水熱接着テープは、付与時に、熱および、縫い目での部分への押圧、接着に曝され、足挿入領域Ａを包み込む防水性かつ通気性の靴甲アセンブリを形成し、これに、靴外底１２が接着接合によって、または靴甲での直接射出によって接合される。
【０１２５】
代替として、靴甲アセンブリ１１の封止は、接着剤および封止剤、例えば、シリコーンおよびポリウレタン接着剤、高融点熱可塑性接着剤または高融点封止剤で製作される膜などを用いて実施できる。
【０１２６】
靴甲アセンブリ１１の他の可能性ある実施形態によれば、図４に示すもの、第１部分１４の下側エッジ１４ａは、前足において、第２部分１５に外周に密閉的に接合される。特に、前足において、下側エッジ１４ａは折り畳まれて接着され、第２部分１５の外周エッジの下方に「ＡＧＯラスティング」として知られた構成に少なくとも大部分従って、封止(seal)を提供する。
【０１２７】
２つの部分の間の封止接合は、好ましくは熱可塑性のポリウレタン系またはネオプレン系の、または他の同等品の接着剤の塗布によって生ずる。
【０１２８】
足の中央および後下部に関連した、下側エッジ１４ａの残りの部分は、下側後方部において縫い目１８を用いて管状に縫われる。
【０１２９】
縫い目１８は、好都合に防水熱接着テープを用いて防水処理され、その上にアセンブリが熱および、第２部分１５への押圧、接着に曝され、それを縫い目１８において封止する。こうして足挿入領域Ａを包み込む防水性かつ通気性の靴甲アセンブリが提供され、これに、靴外底１２が接着接合によって、または靴甲での直接射出によって接合される。
【０１３０】
図６、図７および図８は、ここでは概略的に示した靴甲アセンブリ１１と結合された、本発明に係る防水性かつ通気性の靴１０の靴外底１２，１１２，２１２の変形例を示す。
【０１３１】
第１変形例によれば、靴外底１２は、前述の図面に示す同じタイプのものであり、ポリマー材料、好ましくは、加硫ゴムまたは熱可塑性材料またはポリウレタンまたはエチレン酢酸ビニール（ＥＶＡ）のワンピースで提供され、通気性または穿孔した部分１３は、好都合に靴外底１２の厚さを通過する開口１３ａを有する。代替として、こうした開口は、複数の貫通孔で構成できる。
【０１３２】
図７と図８に示す変形例において、靴外底は、上側部および下側部を備える。
【０１３３】
このタイプは、簡略化のために、図７を参照してのみ説明する。
【０１３４】
図示のように、靴外底１１２は、好都合に、靴甲アセンブリ１１との結合のための上側部１１２ａと、トレッド(tread)が設けられた下側部１１２ｂとを備え、両方ともポリマー材料で製作される。
【０１３５】
特に、下側部１１２ｂは、好ましくは加硫ゴムまたは熱可塑性材料またはポリウレタンで製作され、一方、上側部１１２ａは、好ましくはエチレン酢酸ビニールまたは発泡ポリウレタンで製作される。
【０１３６】
靴外底１１２は、複数の部品で提供された場合でも、第２部分１５にとって、および第１部分１４の下側エッジ１４ａにとって外周にあるバンドに沿って、例えば、接着接合によって靴甲アセンブリ１１と接合される。靴甲アセンブリ１１は、全体的に防水性かつ通気性であるため、靴外底１２の防水封止接合は必要でない。
【０１３７】
機能エレメントが第２部分１５の一部だけを構成し、通気性または穿孔した部分１３が靴外底１２の対応する区切り領域にのみに限定された延長部を有する場合、後者は、通気性または穿孔した部分１３において、機能エレメントにとって少なくとも外周に好都合に設けられた第２部分１５への封止とともに、靴甲アセンブリ１１に接合される。第２部分１５の残りの部分は、防水性であり、通気性でない。
【０１３８】
代替として、靴外底１２は、靴甲アセンブリ１１での直接射出によって、ワンピースまたは少なくともその靴甲部分で提供できる。
【０１３９】
第２の靴外底変形例１１２において、大きな貫通開口１１３が設けられ、好都合には第２部分１５の支持のためのエレメント２２を備え、貫通開口１１３ａにおいてその空洞化と対照をなすようにしている。
【０１４０】
実質的に、支持エレメント２２は、第２部分１５と靴外底１１２の通気性または穿孔した部分１１３との間に介在している。それは、通気性または穿孔されており、好ましくはナイロン繊維メッシュ、金属材料で製作された繊維のメッシュ、フェルトなどの中から選択される、加水分解に対して耐久性のある材料で製作される。
【０１４１】
靴外底１１２の、または靴甲アセンブリ１１での少なくとも上側部１１２ａの直接射出のケースでは、支持エレメント２２は、好都合には、靴外底１１２を構成するポリマー材料の射出の前に、第２部分１５での少なくとも外周に接着剤によって接合される。代替として、支持エレメント２２は、靴外底を提供するためのモールド内に挿入でき、靴甲アセンブリ１１へのその接合が、接着剤を用いることなく、専ら射出されたポリマー材料の接着によって生ずる。
【０１４２】
第３の靴外底変形例１１２は、図８に示すように、第２部分１５の機能エレメントの下方に位置する、通気性または拡散的に穿孔された充填材(filler)エレメント２３を備える。
【０１４３】
このケースにおいても、靴外底２１２は、上側部２１２ａおよび下側部２１２ｂで構成される。
【０１４４】
充填材エレメント２３は、実質的に、上側部２１２ａの一部を構成し、靴外底２１２を構成するポリマー材料の射出が、第２部分１５および機能エレメントを損傷し得るのを防止するように構成される。
【０１４５】
ポリエステルフェルトで製作される充填材エレメント２３を使用することが好ましい。充填材エレメントが非通気性材料、例えば、微小孔性(microporous)のゴムまたはエチレン酢酸ビニール（これらはフェルトに対して快適でより良好な復元力のために一般に使用される）で製作される場合、この非通気性材料は穿孔され、そのため下側部２１２ｂと充填材エレメント２３との間にバリアエレメントを提供することができ、それは、比較的薄く、好都合には通気性のフェルトまたはメッシュで製作され、靴の使用時に吸収された泥または他の物質が、充填材エレメント２３の孔内に侵入し停滞し得るのを防止するように構成される。
【０１４６】
本発明に係る防水性かつ通気性の靴の作用は、説明し図示したものから明らかである。
【０１４７】
特に、防水性かつ通気性の靴は、既知の靴の不具合を未然に防止することができることは明らかであり、それは、靴甲アセンブリ１１が、その部分の全てにおいて、そしてたとえその接合領域においても完全に防水性であり、外部からの水の浸入を防止し、蒸気透過を防止せず、外部との交換のためにより大きな表面により水蒸気の散逸を増加させるためである。
【０１４８】
防水性かつ通気性の靴１０は、実際、靴外底を介して、そして靴甲を介して内部微気候と外部微気候との間の熱および水蒸気の正しい交換を確保でき、これによりその防水性および引裂抵抗を損なうことがない。
【０１４９】
さらに、本発明に係る防水性かつ通気性の靴１０は、特に靴甲が多数の重ね合わせ層によって構成される靴と比較して比較的軽量であり、それは、本発明は、機能エレメントによって構成される単一の靴甲層を用いて提供できるためである。
【０１５０】
靴の軽い重量および構造的簡素さは、その耐久性を損なわず、抵抗力は、既知のタイプの靴でしばしば生じるように、機能エレメントに積層される支持層の存在によって決定されず、ここで使用する機能エレメントの固有の特性によって決定される。
【０１５１】
実際、このタイプの機能エレメントは、以前に示した特定の厚さによって特徴付けられ、靴の組立ての際にラスティング(lasting)の時に曝される応力について、そしてこうした靴の使用の際、耐久性のある防水性かつ通気性の靴の提供のために特に好適にする、貫通抵抗、耐摩耗性、引張強度、引裂強度、防水性、水蒸気の透過性の特性を有することが論証される。
【０１５２】
機能エレメントによって達成される引張強度値は、背景技術に存在する薄膜を用いて得られるものに対して高く、靴甲の構造層を構成できるようにする。用語「構造の」は、靴甲の作業および組立て（例えば、第２部分１５の下方にあるエッジ１４ａを組立てるための操作であり、これはつま先ラスティングマシンとして知られた機械を用いて、または外周エッジの下方にあるエッジ１４ａを引張って延伸するために使用される適合したツールを用いて手動で実施する必要がある）の際に発生する引張応力および引裂応力に耐える能力として理解される。機能エレメントの引張強度および引裂強度のおかげで、第１部分１４は、組立てクランプによって誘起される応力に対して充分な耐久性を有する。
【０１５３】
靴は、その全体の防水性および通気性に起因して、そしてその軽い重量に起因して、快適であるのに加えて、比較的低いコストで製造できる。
【０１５４】
幾つかの利点が、説明した靴外底変形例によっても達成されることに留意すべきである。
【０１５５】
支持エレメント２２が設けられた靴外底１１２のケースにおいて、靴は、貫通開口１１３ａのサイズを増加させ、それを構成するポリマー材料の質量を低減することによってより軽くできる。支持エレメント２２は、実際、貫通開口１１３ａにおいて好都合に配置され、靴の使用の際、貫通開口１１３ａにおいて第２部分１５の空洞化と対照をなすようにしている。
【０１５６】
靴外底２１２の充填材エレメント２３は、靴外底を構成するポリマー材料の射出が、第２部分１５の機能エレメントを損傷し、その通気性を阻害し得るのを防止するために有用である。
【０１５７】
さらに、充填材エレメントの使用は、機能エレメントを靴外底のトレッドから離隔することを維持し、貫通開口を通って靴外底に入ることによって損傷し得る何らかの鋭い異物に対して保護し、発汗によって生じる水蒸気の分子が、全体表面に渡って靴外底の貫通開口だけでなく出て行くことのを許容する。
【０１５８】
通常、充填材エレメントの使用は、相当な厚さの靴外底において特に有利であり、その理由は、靴外底の下側部を通る孔または貫通開口を提供するチャネルの深さを低減するのを許容し、こうしたチャネルがそこに入り得る異物を保持するのを防止するためである。
【０１５９】
さらに、こうしたチャネルの深さを含むことは、靴外底のモールドから突出し、その孔を形成するのに適したピンの高さを制限するのを許容する。このように成形された靴外底は、モールドから引き出すのがより容易であり、ピンは、より低い応力に曝され、その破損のより低いリスクをもたらす。
【０１６０】
他の利点は、充填材エレメントの使用が全体としてより軽い靴を得ることができることにあり、その理由は、こうした充填材がその置換した靴外底の部分のポリマー材料より軽い重量を有するためである。
【０１６１】
実際、本発明は、意図した目標および目的を達成し、現時点で既知の靴に対してより効果的に防水性かつ通気性であり、実質的にその全体構造に渡ってこれらの特性を有し、同時により軽量でより簡素であり、しかし同様に強い靴を提供することが判った。
【０１６２】
こうして着想された本発明は、数多くの変更および変形を受け入れ可能であり、その全ては添付した請求項の範囲内であり、全ての細部はさらに、他の技術的に等価な要素で置換できる。
【０１６３】
実際、使用される材料は、それらが特定の用途、そして付随的な形状および寸法に適合できる限り、要求および最新技術に従うものでもよい。
【０１６４】
本願が優先権を主張するイタリア特許出願第１０２０１５００００４１２４２号（ＵＢ２０１５Ａ００２７７３）での開示は、参照によりここに組み込まれる。
【０１６５】
いずれかの請求項で言及された技術的特徴が参照符号を伴う場合、これらの参照符号は、請求項の理解度を増加させる目的だけのために含まれており、従ってこうした参照符号は、こうした参照符号によって例として識別される各要素の解釈に対する限定的効果を有していない。
【図１】
2018521805.tif 000003
【図２】
2018521805.tif 000004
【図３】
2018521805.tif 000005
【図４】
2018521805.tif 000006
【図５】
2018521805.tif 000007
【図６】
2018521805.tif 000008
【図７】
2018521805.tif 000009
【図８】
2018521805.tif 000010
【国際調査報告】
2018521805.tif 000011
2018521805.tif 000012